(57)【要約】【課題】  線材を配線した後にコネクタを嵌合する際に、コネクタレセプタルと無理なく嵌合可能で、レセプタル側シェルの割れを防止することのできるコネクタプラグを提供する。【解決手段】  線材６に接続された根本側コネクタプラグ１ｂと、根本側コネクタプラグ１ｂとは別体として形成された先端側コネクタプラグ１ａと、先端側コネクタプラグ１ａと、根本側コネクタプラグ１ｂとを接続する可撓性導電材１ｃとを備えるコネクタプラグ１。コネクタレセプタル３へ挿入した際に先端側コネクタプラグ１ａが移動可能となり、コネクタの嵌合時に、無理なくコネクタレセプタル３に沿った嵌合が可能となる。根本側コネクタプラグ１ｂ及び先端側コネクタプラグ１ａの各々に、挿入方向に対して垂直な方向に出没可能なロックリング１ｄを備え、根本側コネクタプラグ１ｂに、挿入時の抜け防止用穴１ｅを設けることが好適である。【選択図】  図２
2006260774.tif 000002
【特許請求の範囲】
【請求項１】
線材に接続された根本側コネクタプラグと、
該根本側コネクタプラグとは別体として形成された先端側コネクタプラグと、
該先端側コネクタプラグと、前記根本側コネクタプラグとを接続する可撓性導電材とを備えることを特徴とするコネクタプラグ。
【請求項２】
前記根本側コネクタプラグ及び前記先端側コネクタプラグの各々に、挿入方向に対して垂直な方向に出没可能なロックリングを備えることを特徴とする請求項１に記載のコネクタプラグ。
【請求項３】
前記根本側コネクタプラグに、挿入時の抜け防止用穴を設けたことを特徴とする請求項１又は２に記載のコネクタプラグ。
【請求項４】
線材に接続された根本側コネクタプラグと、該根本側コネクタプラグとは別体として形成された先端側コネクタプラグと、該先端側コネクタプラグと、前記根本側コネクタプラグとを接続する可撓性導電材と、前記根本側コネクタプラグ及び前記先端側コネクタプラグの各々に設けられ、挿入方向に対して垂直な方向に出没可能なロックリングとを備えたコネクタプラグをコネクタレセプタルへ挿入するための治具であって、
前記コネクタプラグの前記根本側コネクタプラグ及び前記先端側コネクタプラグの各々に設けられた前記ロックリングが没した状態で、前記根本側コネクタプラグ及び前記先端側コネクタプラグを収容する円筒状案内手段を備え、
該円筒状案内手段を前記コネクタレセプタルへ挿入した後、該円筒状案内手段を前記コネクタレセプタルから抜き取り、前記根本側コネクタプラグ及び前記先端側コネクタプラグの前記ロックリングを前記コネクタレセプタル側の嵌合溝と嵌合させることを特徴とするコネクタプラグ挿入用治具。
【請求項５】
線材に接続された根本側コネクタプラグと、該根本側コネクタプラグとは別体として形成された先端側コネクタプラグと、該先端側コネクタプラグと、前記根本側コネクタプラグとを接続する可撓性導電材と、前記根本側コネクタプラグ及び前記先端側コネクタプラグの各々に設けられ、挿入方向に対して垂直な方向に出没可能なロックリングと、前記根本側コネクタプラグに設けられ、挿入時の抜け防止用穴を備えたコネクタプラグをコネクタレセプタルへ挿入するための治具であって、
円筒状の本体の一端にフランジ部と、該フランジ部から離間した位置に貫通穴を有するブラケットと、
該ブラケットの内径より小径の外径を有する円筒状の本体に、スリットと、一端に突出部を有するカラーと、
前記ブラケットの前記貫通穴を貫通するピンとを備え、
前記ブラケットを、前記フランジ部が形成されていない端部側から、前記カラーの突出部が存在しない端部側から、該カラーに挿通させ、
前記コネクタプラグの前記根本側コネクタプラグ及び前記先端側コネクタプラグの各々に設けられた前記ロックリングが没した状態で、前記根本側コネクタプラグ及び前記先端側コネクタプラグを前記カラー内に収容し、
前記根本側コネクタプラグの挿入時の抜け防止用穴と、前記ブラケットの前記貫通穴とを互いに重なるように位置決めした状態で前記ブラケットの前記貫通穴に前記ピンを挿入し、
前記カラーを前記コネクタレセプタルへ挿入し、
前記カラーを前記コネクタレセプタルから抜き取り、前記根本側コネクタプラグ及び前記先端側コネクタプラグの前記ロックリングを前記コネクタレセプタル側の嵌合溝と嵌合させた後、
前記ピンを前記ブラケットの前記貫通穴から抜き取り、
前記ブラケットを取り外すことを特徴とするコネクタプラグ挿入用治具。
【発明の詳細な説明】
【技術分野】
【０００１】
本発明は、コネクタプラグに関し、特に、高電圧、高電流用のコネクタ等に用いられ、コネクタレセプタルと無理なく嵌合することができるコネクタプラグに関する。
【背景技術】
【０００２】
従来の高電圧、高電流用コネクタ（以下、「コネクタ」と略称する）では、例えば、図９及び図１０に示すように、コネクタプラグ３１は一体構造となっており、コネクタプラグ３１とコネクタレセプタル３３とが無理なく嵌合することができるように、コネクタプラグ３１と、プラグ側シェル３２との間に、コネクタプラグ３１を可動とするための隙間３７が形成されていた。また、コネクタプラグ３１には、プラグ側シェル３２からの抜け防止のロックリング３５が設けられている。
【発明の開示】
【発明が解決しようとする課題】
【０００３】
しかし、上記従来のコネクタプラグ３１は一体構造であるため、コネクタへの配線時に、配線した線材３６を引き回したり、線材３６を束線する際に発生する力により、配線後、コネクタプラグ３１がプラグ側シェル３２に対して角度θを持った状態で保持されてしまうため、線材３６を配線した後のコネクタの嵌合の際に、コネクタプラグ３１と、コネクタレセプタル３３とを無理なく嵌合させることが困難になるという問題があった。そして、角度θを持って保持されたままのコネクタプラグ３１をコネクタレセプタル３３に無理に嵌合させようとすると、レセプタル側シェル４が割れるおそれがあるという問題があった。
【０００４】
そこで、本発明は、上記従来のコネクタプラグにおける問題点に鑑みてなされたものであって、線材を配線した後にコネクタを嵌合する際に、コネクタレセプタルと無理なく嵌合することが可能で、レセプタル側シェルの割れを防止することのできるコネクタプラグを提供することを目的とする。
【課題を解決するための手段】
【０００５】
上記目的を達成するため、本発明は、コネクタプラグであって、線材に接続された根本側コネクタプラグと、該根本側コネクタプラグとは別体として形成された先端側コネクタプラグと、該先端側コネクタプラグと、前記根本側コネクタプラグとを接続する可撓性導電材とを備えることを特徴とする。
【０００６】
そして、本発明によれば、コネクタプラグを、根本側コネクタプラグと、先端側コネクタプラグとに２分割し、これら２つのコネクタプラグを可撓性導電材で接続したため、コネクタレセプタルへ挿入した際に先端側コネクタプラグが移動可能となり、コネクタの嵌合時に、無理なくコネクタレセプタルに沿った嵌合を実現することができる。これによって、レセプタル側シェルの割れを防止することができる。
【０００７】
前記コネクタプラグにおいて、前記根本側コネクタプラグ及び前記先端側コネクタプラグの各々に、挿入方向に対して垂直な方向に出没可能なロックリングを備えるようにすることができる。ロックリングをコネクタレセプタル側の嵌合溝と嵌合させることにより、コネクタプラグをコネクタレセプタルに確実に固定することができる。
【０００８】
前記根本側コネクタプラグに、挿入時の抜け防止用穴を設けたようにすることができる。これによって、後述するように、コネクタプラグを容易にコネクタレセプタルに取り付けることができる。
【０００９】
また、本発明は、線材に接続された根本側コネクタプラグと、該根本側コネクタプラグとは別体として形成された先端側コネクタプラグと、該先端側コネクタプラグと、前記根本側コネクタプラグとを接続する可撓性導電材と、前記根本側コネクタプラグ及び前記先端側コネクタプラグの各々に設けられ、挿入方向に対して垂直な方向に出没可能なロックリングとを備えたコネクタプラグをコネクタレセプタルへ挿入するための治具であって、前記コネクタプラグの前記根本側コネクタプラグ及び前記先端側コネクタプラグの各々に設けられた前記ロックリングが没した状態で、前記根本側コネクタプラグ及び前記先端側コネクタプラグを収容する円筒状案内手段を備え、該円筒状案内手段を前記コネクタレセプタルへ挿入した後、該円筒状案内手段を前記コネクタレセプタルから抜き取り、前記根本側コネクタプラグ及び前記先端側コネクタプラグの前記ロックリングを前記コネクタレセプタル側の嵌合溝と嵌合させることを特徴とする。これによって、２分割されたコネクタプラグを容易にコネクタレセプタルに取り付けることができる。
【００１０】
さらに、本発明は、線材に接続された根本側コネクタプラグと、該根本側コネクタプラグとは別体として形成された先端側コネクタプラグと、該先端側コネクタプラグと、前記根本側コネクタプラグとを接続する可撓性導電材と、前記根本側コネクタプラグ及び前記先端側コネクタプラグの各々に設けられ、挿入方向に対して垂直な方向に出没可能なロックリングと、前記根本側コネクタプラグに設けられ、挿入時の抜け防止用穴を備えたコネクタプラグをコネクタレセプタルへ挿入するための治具であって、円筒状の本体の一端にフランジ部と、該フランジ部から離間した位置に貫通穴を有するブラケットと、該ブラケットの内径より小径の外径を有する円筒状の本体に、スリットと、一端に突出部を有するカラーと、前記ブラケットの前記貫通穴を貫通するピンとを備え、前記ブラケットを、前記フランジ部が形成されていない端部側から、前記カラーの突出部が存在しない端部側から、該カラーに挿通させ、前記コネクタプラグの前記根本側コネクタプラグ及び前記先端側コネクタプラグの各々に設けられた前記ロックリングが没した状態で、前記根本側コネクタプラグ及び前記先端側コネクタプラグを前記カラー内に収容し、前記根本側コネクタプラグの挿入時の抜け防止用穴と、前記ブラケットの前記貫通穴とを互いに重なるように位置決めした状態で前記ブラケットの前記貫通穴に前記ピンを挿入し、前記カラーを前記コネクタレセプタルへ挿入し、前記カラーを前記コネクタレセプタルから抜き取り、前記根本側コネクタプラグ及び前記先端側コネクタプラグの前記ロックリングを前記コネクタレセプタル側の嵌合溝と嵌合させた後、前記ピンを前記ブラケットの前記貫通穴から抜き取り、前記ブラケットを取り外すことを特徴とする。これによって、コネクタプラグを容易にコネクタレセプタルに取り付けることができる。
【発明の効果】
【００１１】
以上のように、本発明によれば、線材を配線した後にコネクタを嵌合する際に、コネクタレセプタルと無理なく嵌合することができ、レセプタル側シェルの割れを防止することなどが可能なコネクタプラグを提供することができる。
【発明を実施するための最良の形態】
【００１２】
図１及び図２に示すように、本発明にかかるコネクタプラグ１は、２分割され、先端側コネクタプラグ（以下、「先端側プラグ」という）１ａと、根本側コネクタプラグ以下、「根本側プラグ」という）１ｂと、これらを接続する銅線や銅板等の可撓性導電材１ｃとで構成される。先端側プラグ１ａと根本側プラグ１ｂには、プラグ側シェル２からの抜け防止のロックリング１ｄが設けられる。また、図２（ｃ）に示すように、根本側プラグ１ｂには、コネクタレセプタル３への挿入の際に用いる抜け防止用穴１ｅが穿設される。
【００１３】
図２に示すように、コネクタプラグ１をコネクタレセプタル３に挿入すると、コネクタプラグ１には、先端側プラグ１ａと、根本側プラグ１ｂとの間に可撓性導電材１ｃが存在するため、コネクタ嵌合時に、先端側プラグ１ａが移動可能となり、コネクタレセプタル３に沿って嵌合することができ、無理のない嵌合を実現することができる。これによって、従来レセプタル側シェル４のコネクタ嵌合時に発生するおそれのあった割れを防止することができる。
【００１４】
次に、コネクタプラグ１をコネクタレセプタル３に挿入するために用いるコネクタプラグ挿入用治具について、図面を参照しながら説明する。
【００１５】
図３に示すように、このコネクタ挿入治具９は、ブラケット１０と、カラー（円筒状案内手段）１１と、ピン１２とで構成される。
【００１６】
ブラケット１０は、図４に示すように、円筒状の本体１０ａの上端部にフランジ部１０ｂを備え、本体１０ａには、貫通穴１０ｃが穿設される。
【００１７】
カラー１１は、図５に示すように、略々円筒状に形成された本体１１ａにスリット１１ｂが形成され、下端部１１ｃは、他の部分より外側に若干突出するように肉厚に形成される。
【００１８】
ピン１２は、図６に示すように、細長い丸棒状に形成される。
【００１９】
そして、ブラケット１０をカラー１１の上方からカラー１１に挿入し、貫通穴１０ｃにピン１２を挿通させることにより、図３に示すようなコネクタプラグ挿入用治具９の組立体となる。
【００２０】
次に、上記構成を有するコネクタ挿入治具９を用いたコネクタプラグ１のコネクタレセプタル３への挿入方法について、図７及び図８を参照しながら説明する。
【００２１】
図７に示すように、可撓性導電材１ｃを介して接続された先端側プラグ１ａと、根本側プラグ１ｂとを、コネクタプラグ挿入用治具９に取り付ける。先端側プラグ１ａと根本側プラグ１ｂのロックリング１ｄは、弾性を有するため、カラー１１内に収容することができ、根本側プラグ１ｂは、コネクタプラグ挿入用治具９からの抜け防止のため抜け防止用穴１ｅに、ピン１２を挿入して固定される。これにより、先端側プラグ１ａと根本側プラグ１ｂとは、カラー１１を引き抜くことにより、弾性を有するロックリング１ｄが突出し、図２に示したプラグ側シェル２の嵌合溝２ａに嵌合し、プラグ側シェル２への固定が可能となる。
【００２２】
図８（ａ）は、可撓性導電材１ｃを介して接続された先端側プラグ１ａと、根本側プラグ１ｂとが取り付けられたコネクタプラグ挿入用治具９が、プラグ側シェル２に挿入された状態を示す。
【００２３】
図８（ｂ）は、カラー１１を可撓性導電材１ｃまで引き抜いた状態を示す。先端側プラグ１ａのロックリング１ｄがカラー１１から解放され、プラグ側シェル２の嵌合溝２ａに嵌り、先端側プラグ１ａがプラグ側シェル２に取り付けられている。
【００２４】
図８（ｃ）は、カラー１１をブラケット１０から引き抜いた状態を示す。根本側プラグ１ｂのロックリング１ｄがカラー１１から解放され、プラグ側シェル２の嵌合溝２ａに嵌り、根本側プラグ１ｂがプラグ側シェル２に取り付けられている。次に、根本側プラグ１ｂからピン１２及びブラケット１０を取り外すことにより、先端側プラグ１ａ、根本側プラグ１ｂのプラグ側シェル２への取付けが完了する。
【図面の簡単な説明】
【００２５】
【図１】本発明を適用したコネクタ配線を示す一部断面図である。
【図２】図１のＡ部拡大図、すなわち、本発明にかかるコネクタプラグ及びその周辺を示す図であって、（ａ）は平面図、（ｂ）は一部断面正面図、（ｃ）はコネクタプラグの下部を示す側面図である。
【図３】本発明にかかるコネクタプラグの挿入治具を組み立てた状態を示す図であって、（ａ）は正面図、（ｂ）は側面図である。
【図４】本発明にかかるコネクタプラグの挿入治具を構成するブラケットを示す図であって、（ａ）は平面図、（ｂ）は正面図、（ｃ）は（ｂ）のＢ−Ｂ線断面図である。
【図５】本発明にかかるコネクタプラグの挿入治具を構成するカラーを示す図であって、（ａ）は平面図、（ｂ）は正面図、（ｃ）は（ｂ）のＣ−Ｃ線断面図である。
【図６】本発明にかかるコネクタプラグの挿入治具を構成するピンを示す図であって、（ａ）は正面図、（ｂ）は側面図である。
【図７】本発明にかかるコネクタプラグの挿入治具に図２に示したコネクタプラグを取り付けた状態を示す断面図である。
【図８】本発明にかかるコネクタ挿入治具を用いてコネクタプラグをコネクタレセプタルに挿入する方法を説明するための図であって、（ａ）〜（ｃ）の各々において、左側に側面図を、右側に断面図を示す。
【図９】従来のコネクタ配線の一例を示す一部断面図である。
【図１０】図９のＤ部拡大図、すなわち、従来のコネクタプラグ及びその周辺を示す図であって、（ａ）は平面図、（ｂ）は一部断面正面図である。
【符号の説明】
【００２６】
１  コネクタプラグ
１ａ  先端側プラグ
１ｂ  根本側プラグ
１ｃ  可撓性導電材（銅線、銅板）
１ｄ  ロックリング
１ｅ  抜け防止用穴
２  プラグ側シェル
２ａ  嵌合溝
３  コネクタレセプタル
４  レセプタル側シェル
６  線材
９  コネクタプラグ挿入用治具
１０  ブラケット
１０ａ  本体
１０ｂ  フランジ部
１０ｃ  貫通穴
１１  カラー
１１ａ  本体
１１ｂ  スリット
１１ｃ  下端部
１２  ピン
【図１】
2006260774.tif 000003
【図２】
2006260774.tif 000004
【図３】
2006260774.tif 000005
【図４】
2006260774.tif 000006
【図５】
2006260774.tif 000007
【図６】
2006260774.tif 000008
【図７】
2006260774.tif 000009
【図８】
2006260774.tif 000010
【図９】
2006260774.tif 000011
【図１０】
2006260774.tif 000012